(57)【要約】【課題】  遊技機の構造を有効に利用して制御基板を取り付けることが可能な遊技機の提供を目的とする。【解決手段】  本発明の遊技機によれば、発光制御基板７０を支持する支持部材８０を枠下辺敷設板６０Ｋと屈曲壁部材６３の鉛直壁６３Ｅとに跨って取り付けることができ、しかも発光制御基板７０は、枠下辺敷設板６０Ｋと屈曲壁部材６３及び支持部材８０との間に形成された制御基板収納空間７９に収納されるので、遊技機１０の構造を有効に利用して合理的に制御基板を取り付けることができる。また、枠下辺敷設板６０Ｋと屈曲壁部材６３とが支持部材８０により連結固定されているので、枠下辺敷設板６０Ｋと屈曲壁部材６３の組み付け強度を向上させることが可能となる。【選択図】  図８
2006149724.tif 000002
【特許請求の範囲】
【請求項１】
少なくとも第１部材と第２部材が直接的或いは間接的に一体的に組み付けられた構成部材と、遊技状態に応じて視認可能でありかつ電気的に作動する電気的作動部材と、前記電気的作動部材が搭載され前記電気的作動部材の作動を制御する制御基板とより構成された遊技装置を備え、
前記制御基板を支持するための支持部材が、その一端を前記第１部材に固定する一方、他端を前記第２部材に固定することにより配置されており、
前記第１部材と前記第２部材と前記支持部材との間に、制御基板収納空間が形成されていると共に、前記支持部材の前記制御基板収納空間側には、前記制御基板の少なくとも一部と係合する係合部が形成され、
前記制御基板の少なくとも一部が前記係合部に係合されて前記制御基板収納空間に収納されていることを特徴とする遊技機。
【請求項２】
少なくとも第１部材と第２部材が直接的或いは間接的に一体的に組み付けられた構成部材と、電気的に作動する電気的作動部材と、前記電気的作動部材が搭載され前記電気的作動部材の作動を制御する制御基板とを備え、
前記制御基板を支持するための支持部材が、その一端を前記第１部材に固定する一方、他端を前記第２部材に固定することにより配置されており、
前記第１部材と前記第２部材と前記支持部材との間に、制御基板収納空間が形成されていると共に、前記支持部材の前記制御基板収納空間側には、前記制御基板の少なくとも一部と係合する係合部が形成され、
前記制御基板の少なくとも一部が前記係合部に係合されて前記制御基板収納空間に収納されていることを特徴とする遊技機。
【請求項３】
前記第１部材と前記第２部材との間は、所定間隔を置いて配置されることを特徴とする請求項１又は２に記載の遊技機。
【請求項４】
前記第１部材と前記第２部材との間には、前記第１部材と前記第２部材とは異なる他の部材が介在されていることを特徴とする請求項３に記載の遊技機。
【請求項５】
前記係合部は、前記第１部材と前記第２部材のうち一方の側の前記支持部材の一部に形成され、前記制御基板は、前記第１部材と前記第２部材のうち他方に固定されていることを特徴とする請求項１乃至４の何れかに記載の遊技機。
【請求項６】
前記第１部材と前記第２部材との間は、所定間隔をおいて配置されており、前記第１部材と前記第２部材の各々には前記支持部材の一端及び他端を固定するための第１固定部及び第２固定部が設けられており、前記第１固定部及び前記第２固定部のうち少なくとも一方は、前記固定部が形成される一方の部材から他方の部材側に向けて前記所定間隔の略中央位置まで突設した突部形状であることを特徴とする請求項１乃至５の何れかに記載の遊技機。
【請求項７】
前記係合部は、前記第１部材と前記第２部材とのうち、一方の側の前記支持部材の一部に形成され、少なくとも前記係合部が形成される側とは異なる他方の部材に前記支持部材を取付部材を挿入することにより固定する構成であり、前記支持部材のうち、前記取付部材を挿入する部分の周辺に、前記取付部材を挿入することを誘導する誘導部を設けたことを特徴とする請求項１乃至６の何れかに記載の遊技機。
【請求項８】
前記誘導部は、前記支持部材を貫通する貫通孔であることを特徴とする請求項７に記載の遊技機。
【請求項９】
前記係合部は、前記第１部材と前記第２部材のうち一方の側の前記支持部材の一部に形成され、少なくとも前記係合部が形成される側の部材に、前記支持部材を取付部材により固定する構成であり、前記支持部材のうち前記取付部材により固定される部分を隠蔽する隠蔽部材を前記係合部が形成される側の部材側に配置したことを特徴とする請求項１乃至８の何れかに記載の遊技機。
【請求項１０】
前記支持部材の係合部は、前記制御基板の一側縁部を受容して板厚方向で挟持可能なフック形状をなしたことを特徴とする請求項１乃至９の何れかに記載の遊技機。
【請求項１１】
前記支持部材は、前記制御基板の一方の面に敷設される敷設主体板を備え、前記敷設主体板を略Ｊ字形状又は略Ｕ字形状又は略Ｖ字形状に折り返して前記フック形状の前記係合部が形成されたことを特徴とする請求項１０に記載の遊技機。
【請求項１２】
前記支持部材には、前記係合部の前記フック形状における折返部分から先端部分に向かう方向と略同じ方向に螺子が貫通した螺子貫通部が形成され、前記螺子を前記第１部材又は前記第２部材に螺合したことを特徴とする請求項１０又は１１に記載の遊技機。
【請求項１３】
前記螺子貫通部には、前記第１部材に螺合させる螺子を貫通した第１部材用の螺子貫通部と、前記第２部材に螺合させる螺子を貫通した第２部材用の螺子貫通部とが備えられたことを特徴とする請求項１２に記載の遊技機。
【請求項１４】
前記制御基板の一側縁部の一部を切除又は突片状に張り出して基板凹凸部を形成し、
前記支持部材には、前記基板凹凸部に凹凸係合する支持部材凹凸部が形成されたことを特徴とする請求項１乃至１３の何れかに記載の遊技機。
【請求項１５】
前記第１部材又は前記第２部材のうち前記制御基板を挟んで前記支持部材の前記係合部と対向する側に配置され、前記制御基板の端部を突き合わせて位置決め可能な基板突き合わせ壁が形成されたことを特徴とする請求項１０乃至１４の何れかに記載の遊技機。
【請求項１６】
前記第１部材又は前記第２部材には、前記制御基板のうち前記支持部材の前記係合部が係合した一側縁部と反対側の縁部を受容して板厚方向で挟持可能な１対の板厚方向挟持壁が形成されたことを特徴とする請求項１０乃至１５の何れかに記載の遊技機。
【請求項１７】
前記遊技装置には、遊技球が上面を遊転可能なステージを構成する透光部材が備えられ、前記制御基板は、前記透光部材の下面に対向配置され、
前記制御基板には、前記透光部材に向けて光を放射することが可能な前記電気的作動部材としての発光素子が実装されたことを特徴とする請求項１乃至１６の何れかに記載の遊技機。
【請求項１８】
前記第１部材及び前記第２部材は、遊技機の前後方向を向きかつ前記ステージの前側と後側とに配置された１対の鉛直壁で構成されたことを特徴とする請求項１７に記載の遊技機。
【発明の詳細な説明】
【技術分野】
【０００１】
本発明は、遊技機に関する。
【背景技術】
【０００２】
従来より、遊技機には、電気的に作動する電気的作動部材（例えば、ＬＥＤ）を制御するための制御基板（例えば、ＬＥＤ制御基板）が備えられている（例えば、特許文献１参照）。
【特許文献１】特開２０００−２４５９０２号公報（段落［００２８］、図７）
【発明の開示】
【発明が解決しようとする課題】
【０００３】
ところで、上述した従来の遊技機では、遊技機の構造上、制御基板の配置場所が制限されることがあり、遊技機の構造を有効に利用して制御基板を取り付ける必要があった。より詳細には、電気的作動部材と制御基板とを配置する際に、配置場所の制限により、例えば、制御基板を複数の部材の間或いは複数の部材に跨って有効的に取り付ける必要があった。
【０００４】
本発明は、上記事情に鑑みてなされたもので、遊技機の構造を有効に利用して制御基板を取り付けることが可能な遊技機の提供を目的とする。
【課題を解決するための手段】
【０００５】
上記目的を達成するためになされた請求項１の発明に係る遊技機は、少なくとも第１部材と第２部材が直接的或いは間接的に一体的に組み付けられた構成部材と、遊技状態に応じて視認可能でありかつ電気的に作動する電気的作動部材と、電気的作動部材が搭載され電気的作動部材の作動を制御する制御基板とより構成された遊技装置を備え、制御基板を支持するための支持部材が、その一端を第１部材に固定する一方、他端を第２部材に固定することにより配置されており、第１部材と第２部材と支持部材との間に、制御基板収納空間が形成されていると共に、支持部材の制御基板収納空間側には、制御基板の少なくとも一部と係合する係合部が形成され、制御基板の少なくとも一部が係合部に係合されて制御基板収納空間に収納されているところに特徴を有する。
【０００６】
請求項２の発明に係る遊技機は、少なくとも第１部材と第２部材が直接的或いは間接的に一体的に組み付けられた構成部材と、電気的に作動する電気的作動部材と、電気的作動部材が搭載され電気的作動部材の作動を制御する制御基板とを備え、制御基板を支持するための支持部材が、その一端を第１部材に固定する一方、他端を第２部材に固定することにより配置されており、第１部材と第２部材と支持部材との間に、制御基板収納空間が形成されていると共に、支持部材の制御基板収納空間側には、制御基板の少なくとも一部と係合する係合部が形成され、制御基板の少なくとも一部が係合部に係合されて制御基板収納空間に収納されているところに特徴を有する。
【０００７】
請求項３の発明は、請求項１又は２に記載の遊技機において、第１部材と第２部材との間は、所定間隔を置いて配置されるところに特徴を有する。
【０００８】
請求項４の発明は、請求項３に記載の遊技機において、第１部材と第２部材との間には、第１部材と第２部材とは異なる他の部材が介在されているところに特徴を有する。
【０００９】
請求項５の発明は、請求項１乃至４の何れかに記載の遊技機において、係合部は、第１部材と第２部材のうち一方の側の支持部材の一部に形成され、制御基板は、第１部材と第２部材のうち他方に固定されているところに特徴を有する。
【００１０】
請求項６の発明は、請求項１乃至５の何れかに記載の遊技機において、第１部材と第２部材との間は、所定間隔をおいて配置されており、第１部材と第２部材の各々には支持部材の一端及び他端を固定するための第１固定部及び第２固定部が設けられており、第１固定部及び第２固定部のうち少なくとも一方は、固定部が形成される一方の部材から他方の部材側に向けて所定間隔の略中央位置まで突設した突部形状であるところに特徴を有する。
【００１１】
請求項７の発明は、請求項１乃至６の何れかに記載の遊技機において、係合部は、第１部材と第２部材とのうち、一方の側の支持部材の一部に形成され、少なくとも係合部が形成される側とは異なる他方の部材に支持部材を取付部材を挿入することにより固定する構成であり、支持部材のうち、取付部材を挿入する部分の周辺に、取付部材を挿入することを誘導する誘導部を設けたところに特徴を有する。
【００１２】
請求項８の発明は、請求項７に記載の遊技機において、誘導部は、支持部材を貫通する貫通孔であるところに特徴を有する。
【００１３】
請求項９の発明は、請求項１乃至８の何れかに記載の遊技機において、係合部は、第１部材と第２部材のうち一方の側の支持部材の一部に形成され、少なくとも係合部が形成される側の部材に、支持部材を取付部材により固定する構成であり、支持部材のうち取付部材により固定される部分を隠蔽する隠蔽部材を係合部が形成される側の部材側に配置したところに特徴を有する。
【００１４】
請求項１０の発明は、請求項１乃至９の何れかに記載の遊技機において、支持部材の係合部は、制御基板の一側縁部を受容して板厚方向で挟持可能なフック形状をなしたところに特徴を有する。
【００１５】
請求項１１の発明は、請求項１０に記載の遊技機において、支持部材は、制御基板の一方の面に敷設される敷設主体板を備え、敷設主体板を略Ｊ字形状又は略Ｕ字形状又は略Ｖ字形状に折り返してフック形状の係合部が形成されたところに特徴を有する。
【００１６】
請求項１２の発明は、請求項１０又は１１に記載の遊技機において、支持部材には、係合部のフック形状における折返部分から先端部分に向かう方向と略同じ方向に螺子が貫通した螺子貫通部が形成され、螺子を第１部材又は第２部材に螺合したところに特徴を有する。
【００１７】
請求項１３の発明は、請求項１２に記載の遊技機において、螺子貫通部には、第１部材に螺合させる螺子を貫通した第１部材用の螺子貫通部と、第２部材に螺合させる螺子を貫通した第２部材用の螺子貫通部とが備えられたところに特徴を有する。
【００１８】
請求項１４の発明は、請求項１乃至１３の何れかに記載の遊技機において、制御基板の一側縁部の一部を切除又は突片状に張り出して基板凹凸部を形成し、支持部材には、基板凹凸部に凹凸係合する支持部材凹凸部が形成されたところに特徴を有する。
【００１９】
請求項１５の発明は、請求項１０乃至１４の何れかに記載の遊技機において、第１部材又は第２部材のうち制御基板を挟んで支持部材の係合部と対向する側に配置され、制御基板の端部を突き合わせて位置決め可能な基板突き合わせ壁が形成されたところに特徴を有する。
【００２０】
請求項１６の発明は、請求項１０乃至１５の何れかに記載の遊技機において、第１部材又は第２部材には、制御基板のうち支持部材の係合部が係合した一側縁部と反対側の縁部を受容して板厚方向で挟持可能な１対の板厚方向挟持壁が形成されたところに特徴を有する。
【００２１】
請求項１７の発明は、請求項１乃至１６の何れかに記載の遊技機において、遊技装置には、遊技球が上面を遊転可能なステージを構成する透光部材が備えられ、制御基板は、透光部材の下面に対向配置され、制御基板には、透光部材に向けて光を放射することが可能な電気的作動部材としての発光素子が実装されたところに特徴を有する。
【００２２】
請求項１８の発明は、請求項１７に記載の遊技機において、第１部材及び第２部材は、遊技機の前後方向を向きかつステージの前側と後側とに配置された１対の鉛直壁で構成されたところに特徴を有する。
【発明の効果】
【００２３】
［請求項１，２，３，４の発明］
請求項１及び２の発明によれば、制御基板を支持する支持部材が第１部材と第２部材とに跨って固定され、制御基板は、第１部材と第２部材と支持部材との間に形成された制御基板収納空間に収納されているので、遊技機の構造を有効に利用して合理的に制御基板を取り付けることが可能である。また、第１部材と第２部材とが支持部材により連結固定されているので、第１部材と第２部材の組み付け強度を向上させることが可能となる。
【００２４】
ここで、第１部材と第２部材との間は、所定間隔を置いて配置されることが好ましい（請求項３の発明）。また、第１部材と第２部材との間に、第１部材と第２部材とは異なる他の部材が介在されていてもよい（請求項４の発明）。
【００２５】
［請求項５の発明］
請求項５の発明によれば、制御基板の一端部を、第１部材又は第２部材の何れか一方に固定し、その固定された側と反対側部分を、支持部材の係合部に係合することができる。つまり、制御基板の向かい合った二箇所を、第１部材又は第２部材の何れかと支持部材とで保持することができるので、制御基板の組み付け強度を向上させることができる。
【００２６】
［請求項６の発明］
請求項６の発明によれば、第１部材に設けられた第１固定部と、第２部材に設けられた第２固定部とのうち、少なくとも一方は、他方の固定部に向けて突設され、第１部材と第２部材との間に形成された所定間隔の略中央位置まで達しているので、第１部材と第２部材とに跨って固定される支持部材を小型化することが可能となる。
【００２７】
［請求項７の発明］
請求項７の発明によれば、支持部材は、取付部材によって第１部材又は第２部材に固定される。ここで、取付部材を第１部材又は第２部材と支持部材に挿入する際に、取付部材がその挿入する部分に誘導されるので取付部材の挿入作業が行い易くなる。
【００２８】
［請求項８の発明］
請求項８の構成によれば、制御基板を支持部材により支持した際に、支持部材に形成された貫通孔より制御基板の一部を視認可能となる。
【００２９】
［請求項９の発明］
請求項９の発明によれば、支持部材を、取付部材により第１部材又は第２部材の何れかに固定した際に、取付部材により固定された部分が隠蔽されるので、取付部材が誤って外されることが防止できる。
【００３０】
［請求項１０の発明］
請求項１０の発明によれば、制御基板の一側縁部が板厚方向へ移動することを規制できる。
【００３１】
［請求項１１の発明］
請求項１１の発明によれば、支持部材に備えた敷設主体板と、敷設主体板を折り返してフック形状とした係合部とで、制御基板を板厚方向で挟持することができる。ここで、フック形状を形成する場合には、敷設主体板を略Ｊ字形状又は略Ｕ字形状又は略Ｖ字形状に折り返して形成することが好ましい。
【００３２】
［請求項１２の発明］
請求項１２によれば、支持部材の係合部に制御基板を係合させるときの支持部材の移動方向と、螺子を螺子貫通部に挿入するときの螺子の挿入方向とが略同一方向となるので、制御基板及び支持部材の取付作業が行い易くなる。
【００３３】
［請求項１３の発明］
請求項１３の発明によれば、支持部材を第１部材と第２部材とにそれぞれ螺子により固定することができる。
【００３４】
［請求項１４の発明］
請求項１４の発明によれば、制御基板に形成された基板凹凸部が、支持部材に形成された支持部材凹凸部と凹凸係合することで、制御基板の板厚方向と直交する方向への移動を規制できる。
【００３５】
［請求項１５の発明］
請求項１５の発明によれば、制御基板の端部を基板突き合わせ壁に突き合わせることで、第１部材又は第２部材に対する制御基板の固定位置を位置決めすることができる。
【００３６】
［請求項１６の発明］
請求項１６の発明によれば、制御基板の一側縁部と、その反対側の縁部とが共に板厚方向で挟持されるので、制御基板の板厚方向への移動がより確実に規制できる。
【００３７】
［請求項１７，１８の発明］
請求項１７の発明によれば、遊技球が遊転可能なステージを通して、発光素子の光を視認可能となる。ここで、第１部材及び第２部材は、遊技機の前後方向を向きかつステージの前側と後側とに配置された１対の鉛直壁で構成してもよい（請求項１８の発明）。
【発明を実施するための最良の形態】
【００３８】
以下、本発明を適用したパチンコ遊技機１０（以下、「遊技機１０」という）に係る一実施形態を、図１〜図１９に基づいて説明する。図１に示すように、遊技盤１１の前面には、ガイドレール１２で囲まれたほぼ円形の遊技領域Ｒ１が形成されている。遊技領域Ｒ１のほぼ中央部には、本発明の「遊技装置」に相当する表示装置１３が設けられ、表示装置１３の下方には、始動入賞口１４、大入賞口１５及びアウト口１６が、上から順に間隔を開けて並べて設けられている。また、遊技領域Ｒ１のうち表示装置１３を挟んだ左右の両側には風車１７が設けられ、始動入賞口１４を挟んだ左右両側には、始動ゲート１８が設けられている。また、ガイドレール１２に沿った両側部にはサイド入賞口２０，２１とサイドランプ２２，２２とが設けられている。さらに、これら入賞口等以外に、遊技領域Ｒ１には、図示しない複数の釘が起立している。
【００３９】
所要の各部位についてさらに詳説する。
上側サイド入賞口２０及び下側サイド入賞口２１は、共に遊技球が１つ入賞可能な開口幅をなして上方に開放されている。
【００４０】
始動ゲート１８は、遊技球が潜って通過可能な門形構造をなし、通過した遊技球は、その始動ゲート１８に内蔵した普通図柄始動スイッチによって検出される。そして、その検出信号に基づいて、後述する普通図柄表示領域２４の図柄が変動表示される。
【００４１】
始動入賞口１４は、所謂、ポケット構造をなして上方に向かって開口しており、その開口の両側部には可動翼片１４Ｃ，１４Ｃが備えられている。これら両可動翼片１４Ｃ，１４Ｃは、常には起立状態になっており、両可動翼片１４Ｃ，１４Ｃに挟まれた始動入賞口１４の開口幅は、遊技球が約１つ入る大きさになっている。そして、遊技盤１１の裏に設けたソレノイドが駆動されると、可動翼片１４Ｃ，１４Ｃが横に倒され、遊技球が可動翼片１４Ｃに案内されて始動入賞口１４に入り得る状態になる。
【００４２】
始動入賞口１４に遊技球が入賞すると、始動入賞口１４内に設けた特別図柄始動スイッチが遊技球を検出し、表示装置１３が後述するように図柄を変動表示する。なお、表示装置１３が図柄を変動表示している間に、始動入賞口１４に入賞した入賞球は、４個まで保留記憶される。
【００４３】
大入賞口１５は、横長に形成されて、常には、可動扉１５Ｔにて閉塞されている。そして、後述する所定条件の成立によって、遊技機１０が「大当たり状態」になると、遊技盤１１の裏に設けたソレノイドが駆動され、可動扉１５Ｔが所定期間に亘って前側に倒れる。これにより、大入賞口１５が開放され、可動扉１５Ｔを案内にして、大入賞口１５に多くの遊技球が入賞可能になる。大入賞口１５に遊技球が入賞すると、大入賞口１５内に設けた検出スイッチが遊技球を検出し、その検出信号に基づいて、例えば、１５個の遊技球が賞球として払い出される。そして、所定条件が成立（例えば、可動扉１５Ｔの開放時間が２９秒に達したか、又は、大入賞口１５に遊技球が１０個入賞したか）すると、可動扉１５Ｔが遊技盤１１側に回動して大入賞口１５を閉塞する。
【００４４】
表示装置１３は、遊技盤１１に貫通形成された開口部（図示せず）に対し、遊技盤１１の前面側から取り付けた枠形構造の装飾枠２３（図１を参照、本発明の「構成部材」に相当する）と、遊技盤１１の後面側から取り付けた図示しない液晶モジュール（詳細には、ＴＦＴ−ＬＣＤモジュール）とで構成されている。そして、遊技者は、遊技盤１１の前面側から、装飾枠２３の表示窓２３Ｗを通して、液晶モジュールに備えた表示画面３４を見ることができる。
【００４５】
表示画面３４の中央部分には、通常は、３つの左、中、右の特別図柄が、横並びに表示されている。これら各特別図柄は、例えば、「０」〜「１１」の数字を表記した複数種類のもので構成されており、通常は、各特別図柄ごと、所定の種類のものが、表示画面３４に確定表示されている。そして、始動入賞口１４に遊技球が入賞したときに当否判定され、各特別図柄が、上下方向にスクロールして変動表示され、所定時間後に、例えば、左、中、右の順で各特別図柄が停止表示される。このとき、例えば、当否判定の結果が当たりで全ての特別図柄が同じ図柄、即ち、ぞろ目になった場合（例えば、図１の状態）に、遊技が「大当たり状態」になり、可動扉１５Ｔが開かれる。
【００４６】
表示画面３４の一部分（例えば、左下隅部分）には、図示しないが、普通図柄が表示されている。普通図柄は、例えば、「０」〜「９」の数字を表記した複数種類のもので構成されている。そして、始動ゲート１８内に設けた普通図柄始動スイッチが遊技球の通過を検出したときに当否判定され、が「０」〜「９」までの数字を所定期間に亘って変動表示した後、所定の数字を確定表示する。そして、確定表示された数字が、例えば、奇数の場合に、前記始動入賞口１４に設けた前記可動翼片１４Ｃ，１４Ｃが所定期間（例えば、０．４秒）に亘って横に倒される。なお、普通図柄は、数字に限るものではなく、アルファベットや記号等でもよい。
【００４７】
遊技機１０のうち遊技盤１１より下方には、上皿２７Ａ及び下皿２７Ｂが上下２段にして設けられている。そして、下皿２７Ｂの右端部に設けた操作ノブ２８を操作することで、上皿２７Ａに収容された遊技球が遊技盤１１に向けて弾き出される。また、上皿２７Ａの上面には、上皿２７Ａから下皿２７Ｂに遊技球を移動するためのボタン２９が設けられ、上皿２７Ａの左右両側には、１対のスピーカ５９Ｓ，５９Ｓが備えられている。
【００４８】
図２に示すように、遊技盤１１の後面には、表示装置１３の後側に重なるようにして表示制御基板５１が備えられている。表示制御基板５１の下側には、ランプ制御基板５２と音声制御基板５０とが横並びにして取り付けられている。そして、これらランプ制御基板５２、音声制御基板５０及び表示制御基板５１の後側に重なるようにして主制御基板４９が取り付けられている。なお、前記各制御基板４９〜５２は、それぞれ透明な樹脂ケースに収容されている。
【００４９】
なお、遊技機１０の後面の所定箇所には、上記した各種制御基板４９〜５２の他に電源基板５３、払出制御基板５４、受電基板５５等の基板や、遊技球を貯留する遊技球タンク５６、遊技球を払い出す払出装置５７、遊技球を遊技領域Ｒ１に向けて発射するための発射装置５８等が設けられている。
【００５０】
ところで、本実施形態では、表示装置１３に備えた装飾枠２３に本発明が適用されている。図３に示すように、装飾枠２３は、遊技機１０の前後方向に貫通した横長矩形の表示窓２３Ｗを備える。装飾枠２３の上辺部分及び両側辺部分には、図示しない複数種類の装飾部材（例えば、キャラクター模型等）が備えられている。これら装飾部材は、装飾枠２３に一体形成されたり、装飾枠２３と別体に形成されて螺子等で装飾枠２３に取り付けられている。
【００５１】
装飾枠２３の周縁部からは枠敷設板６０が張り出している。装飾枠２３は、この枠敷設板６０を遊技盤１１の前面に敷設して螺子止めすることで遊技盤１１に固定されている。装飾枠２３の上辺部分は、遊技盤１１の前面よりも前方に突出しており、表示画面３４の前側を遊技球が流下することを規制している。
【００５２】
装飾枠２３の下辺部分には、遊技球が上面を遊転可能なステージ６１が備えられている。ステージ６１は、表示画面３４よりも前側（図３における紙面手前側）で、表示窓２３Ｗの下辺部よりも段付き状に低い位置に設けられている。ステージ６１は、装飾枠２３の左右両側辺を繋ぐように延び、左右の両端部から中央部に向かって下るように緩やかに湾曲している。また、ステージ６１の中央部には、ステージ６１の後端縁６１Ｋから前端縁６１Ｚに向かうに従って若干下方に傾斜した前方誘導部６２が形成されている。
【００５３】
本実施形態において、ステージ６１は、例えば、樹脂製の透光部材で構成されている。ステージ６１を構成する透光部材は、装飾枠２３に一体形成してもよいし、装飾枠２３とは別部品で構成し、装飾枠２３に着脱可能な構成としてもよい。なお、ステージ６１は、本発明における「他の部材」に相当する。
【００５４】
さて、図６及び図７に示すように、ステージ６１の下方には、本発明の「制御基板」に相当する発光制御基板７０が備えられている。発光制御基板７０は、ステージ６１の前側に設けられた枠下辺敷設板６０Ｋ（本発明の「第１部材」に相当する）と支持部材８０とにより固定されている。また、支持部材８０は、前記枠下辺敷設板６０Ｋと、ステージ６１の後側に設けられた屈曲壁部材６３とに跨って取り付けられている。なお、これら枠下辺敷設板６０Ｋと屈曲壁部材６３と支持部材８０とによってステージ６１の下方に、制御基板収納空間７９が形成され、発光制御基板７０の全体がこの制御基板収納空間７９に収納されている。以下、発光制御基板７０、枠下辺敷設板６０Ｋ、屈曲壁部材６３及び支持部材８０について説明する。
【００５５】
発光制御基板７０は、図９に示されており、ステージ６１の形状に対応して帯板形状をなす。同図に示すように、発光制御基板７０の上面７０Ｊには、本発明の「電気的作動部材」、「発光素子」としての複数のＬＥＤ７３が規則的に配置されている。発光制御基板７０の両長辺７１，７１のほぼ中央部分には横長矩形状の凹部７７が形成され、この凹部７７を挟んだ両側が相対的に凸部７８，７８となっている。なお、これら凹部７７及び凸部７８，７８は、本発明の「基板凹凸部」に相当する。
【００５６】
発光制御基板７０のうち、一方の長辺７１に形成された凸部７８，７８には、それぞれ螺子挿通孔７２，７２が貫通形成されている。この螺子挿通孔７２には、発光制御基板７０を枠下辺敷設板６０Ｋに固定するための螺子６６が挿通されている（図８の（Ｂ）を参照）。以下、発光制御基板７０のうち、螺子挿通孔７２，７２が形成された側の長辺を「前側長辺７１Ａ」といい、前側長辺７１Ａと反対側の他方の長辺を「後側長辺７１Ｂ」という。
【００５７】
図７に示すように、発光制御基板７０は、上面７０Ｊがステージ６１の下面に対向するように配置されている。即ち、発光制御基板７０の上面７０Ｊに備えたＬＥＤ７３がステージ６１の下面に対向配置され、ＬＥＤ７３の光が、ステージ６１を透過して装飾枠２３の内側に照射されるようになっている。以上が、発光制御基板７０の説明である。
【００５８】
次に屈曲壁部材６３について説明する。図３及び図４に示すように、屈曲壁部材６３はステージ６１の後端縁６１Ｋに沿って設けられている。屈曲壁部材６３は、装飾枠２３に着脱可能に取り付けられており、例えば、ステージ６１と同様に樹脂製の透光部材で構成されている。屈曲壁部材６３は、表示窓２３Ｗの左右両側辺を繋いで表示窓２３Ｗの下辺部を構成する上壁６３Ｊと、図８の（Ａ）に示すように、上壁６３Ｊの前端部から垂下して遊技機１０の前後方向（図８における左右方向）を向いた鉛直壁６３Ｅとから構成される。なお、鉛直壁６３Ｅは、本発明の「第２部材」に相当する。
【００５９】
屈曲壁部材６３は、鉛直壁６３Ｅの下端部をステージ６１の後端縁６１Ｋと突き当てて、鉛直壁６３Ｅの左右両端部を装飾枠２３の後面に螺子止めして取り付けられている（図３〜図５を参照）。これにより屈曲壁部材６３の上壁６３Ｊとステージ６１との間には、鉛直壁６３Ｅで構成された段差壁が形成されている。なお、鉛直壁６３Ｅの前面には上壁６３Ｊとステージ６１の上面とを繋ぐようにステージ装飾部材６４が設けられている（図３を参照）。
【００６０】
屈曲壁部材６３のうち、鉛直壁６３Ｅの下端部中央には、下方に向かって突出片６３Ｔが延設されている（図１２を参照）。突出片６３Ｔには、その前面側と後面側との両方に突出した円柱ボス６３Ｂ（本発明の「第２固定部」に相当する）が一体形成され、その中心には螺子孔が貫通形成されている。そして、この円柱ボス６３Ｂに、後に詳説する支持部材８０の一端部が取付螺子８９（本発明の「取付部材」に相当する）によって固定されている。
【００６１】
次に枠下辺敷設板６０Ｋについて説明する。図８に示すように、枠下辺敷設板６０Ｋは、ステージ６１の前端縁６１Ｚから下方に垂下し、遊技機１０の前後方向（図８における左右方向）を向いた鉛直壁で構成されている。即ち、上述した屈曲壁部材６３の鉛直壁６３Ｅと枠下辺敷設板６０Ｋとの間には、遊技機１０の前後方向において、ステージ６１の奥行き幅分の間隔（本発明の「所定間隔」に相当する）が設けられている。
【００６２】
図１２に示すように、枠下辺敷設板６０Ｋの後面中央には、基板突き合わせ壁６７が形成されている。基板突き合わせ壁６７は、枠下辺敷設板６０Ｋの後面から後方に起立している。基板突き合わせ壁６７は、発光制御基板７０の前側長辺７１Ａに形成された凹部７７と略同一の矩形凸状をなし、凹部７７と凹凸係合している（図１０〜図１２を参照）。これにより、発光制御基板７０の枠下辺敷設板６０Ｋに対する取付位置が位置決めされ、発光制御基板７０の左右方向への移動が規制される。
【００６３】
枠下辺敷設板６０Ｋのうち、基板突き合わせ壁６７を挟んだ左右両側には、それぞれ基板挟持部６５が形成されている。図８に示すように、基板挟持部６５は、上下に対をなした上側挟持壁６５Ｕと下側挟持壁６５Ｓとから構成され、それぞれ枠下辺敷設板６０Ｋの後面から起立している。これら上側及び下側挟持壁６５Ｕ，６５Ｓは、上下方向で発光制御基板７０の板厚とほぼ同じ間隔を空けて設けられ（図８の（Ａ）参照）、かつ互いに左右にずれた位置に配設されている（図５を参照）。
【００６４】
上側挟持壁６５Ｕと下側挟持壁６５Ｓとの間には、発光制御基板７０の前側長辺７１Ａに形成された凸部７８，７８が挿入され、発光制御基板７０が板厚方向で挟持されている。これにより、発光制御基板７０の板厚方向への移動が規制されている。ここで、上側挟持壁６５Ｕには、発光制御基板７０が基板挟持部６５に挟持されたときに、発光制御基板７０に形成された螺子挿通孔７２と整合する螺子孔が形成されており、発光制御基板７０の下面側から螺子挿通孔７２を貫通した螺子６６がこの螺子孔に螺合することで、発光制御基板７０が基板挟持部６５，６５に挟持された状態で固定されている（図８の（Ｂ）参照）。なお、上側挟持壁６５Ｕと下側挟持壁６５Ｓは、本発明の「１対の板厚方向挟持壁」に相当する。
【００６５】
図１２に示すように、枠下辺敷設板６０Ｋのうち基板突き合わせ壁６７よりも下方位置からは、固定柱６８（本発明の「第１固定部」に相当する）が起立している。固定柱６８は枠下辺敷設板６０Ｋの後面から後方に向かって略直角に起立し、枠下辺敷設板６０Ｋと屈曲壁部材６３の鉛直壁６３Ｅとの間に形成された遊技機１０の前後方向における間隔のほぼ中央部分（換言すれば、ステージ６１の奥行き幅における中央部分）まで延びている（図１１を参照）。固定柱６８は円柱形状をなしており、その中心部には、螺子孔が形成されている（図８を参照）。そして、この固定柱６８には、支持部材８０のうち、前記鉛直壁６３Ｅに固定された側と反対側の端部が取付螺子９１（本発明の「取付部材」に相当する）によって固定されている。以上が、枠下辺敷設板６０Ｋについての説明である。
【００６６】
次に支持部材８０について説明する。支持部材８０は図１３に示されており、矩形板状の敷設主体板８１を主要部として備えると共に、敷設主体板８１の上面８１Ｊに敷設された発光制御基板７０を板厚方向で挟持する係合フック８４，８４が備えられている。そして、支持部材８０は、前記したように一端部が屈曲壁部材６３の鉛直壁６３Ｅに固定され、その反対側の端部が枠下辺敷設板６０Ｋに固定されている。なお、説明の便宜上、支持部材８０のうち、枠下辺敷設板６０Ｋに固定された端部を「前端部８０Ｚ」といい、屈曲壁部材６３の鉛直壁６３Ｅに固定された端部を「後端部８０Ｋ」という。以下、支持部材８０を構成する各部について詳説する。
【００６７】
係合フック８４，８４は、本発明の「係合部」に相当し、支持部材８０の後端部８０Ｋの両隅部分に設けられている。係合フック８４は、敷設主体板８１の上面８１Ｊから起立し途中で略直角に折れ曲がって敷設主体板８１の前端部８０Ｚ側に向かって延びた略「コ」の字形状をなしている。換言すれば、係合フック８４は、敷設主体板８１から起立した脚壁８４Ｋと、この脚壁８４Ｋの先端部から敷設主体板８１の前端部８０Ｚに向かって延びかつ敷設主体板８１の上面８１Ｊと対向した基板挟持壁８４Ｔとから構成されている。なお、敷設主体板８１の後端部８０Ｋを上記したように「コ」の字状に折り返して（敷設主体板８１を略Ｊ字形状に折り返して）係合部８４を形成してもよいし、略Ｕ字形状又は略Ｖ字形状に折り返して形成してもよい。
【００６８】
支持部材８０の後端部８０Ｋには、１対の係合フック８４，８４の脚壁８４Ｋ，８４Ｋ同士を繋いだ後端壁８５が形成されている。後端壁８５は、脚壁８４Ｋと同様に敷設主体板８１の上面８１Ｊから起立して、脚壁８４Ｋ，８４Ｋと一体となっている。さらに、敷設主体板８１の上面８１Ｊには、後端壁８５に直交しかつ基板挟持壁８４Ｔと敷設主体板８１との間を繋ぐように形成されたスライド規制壁８６が設けられている。詳細には、スライド規制壁８６は、基板挟持壁８４Ｔと同様に後端壁８５から支持部材８０の前端部８０Ｚ側に向かって延びており、基板挟持壁８４Ｔ，８４Ｔのうち互いに近い側の側縁部と敷設主体板８１の上面８１Ｊとの間を繋いでいる。これにより、係合フック８４の基板挟持壁８４Ｔと敷設主体板８１との間には、敷設主体板８１の前端部８０Ｚ側（図１７における紙面手前側）と側方（図１７における左右方向）とに開放した基板係合溝８７（本発明の「支持部材凹凸部」に相当する）が形成されている。
【００６９】
図１６に示すように、係合フック８４，８４には、支持部材８０の敷設主体板８１に敷設された発光制御基板７０の一部が係合している。即ち、発光制御基板７０の後側長辺７１Ｂに形成された凸部７８，７８の一部が、基板挟持壁８４Ｔと敷設主体板８１との間に形成された基板係合溝８７に受容されて凹凸係合している。なお、本実施形態では、発光制御基板７０の凸部７８，７８と係合フック８４の基板係合溝８７とが凹凸係合したときに、凸部７８，７８が基板係合溝８７の内側で若干浮くように構成されている（図７を参照）。
【００７０】
ここで、発光制御基板７０は、支持部材８０の係合フック８４，８４と係合することで、あらゆる方向への移動が規制されている。即ち、支持部材８０に備えたスライド規制壁８６と、発光制御基板７０に備えた凹部７７の側壁とが当接することで、発光制御基板７０の左右方向への移動が規制される。また、支持部材８０に備えた基板挟持壁８４Ｔと敷設主体板８１とで発光制御基板７０を板厚方向で挟持したことで、発光制御基板７０の板厚方向（図１６における紙面に交差する方向）への移動が規制される。さらに、発光制御基板７０の後側長辺７１Ｂと支持部材８０のスライド規制壁８６又は後端壁８５が当接することで、発光制御基板７０の後方（図１６における上方）への移動が規制される。これにより、発光制御基板７０が、支持部材８０の敷設主体板８１上でがたつくことが防止される。
【００７１】
図１３に示すように、支持部材８０の後端部８０Ｋには、鉛直壁用固定部８８が形成されている。鉛直壁用固定部８８は、後端壁８５に一体形成されかつ、一方の係合フック８４寄り位置に偏在している。鉛直壁用固定部８８は、支持部材８０の前後方向を向いた壁体で構成され、敷設主体板８１の前端部８０Ｚ側の面には、円形の陥没凹所８８Ｋが形成されている。陥没凹所８８Ｋの中心には鉛直壁用固定部８８を支持部材８０の前後方向に貫通した螺子貫通部８２（本発明の「第２部材用の螺子貫通部」に相当する）が形成されている。
【００７２】
図１４に示すように、鉛直壁用固定部８８の陥没凹所８８Ｋには、屈曲壁部材６３に形成された円柱ボス６３Ｂの後端部分が突入しており、陥没凹所８８Ｋの螺子貫通部８２を貫通した取付螺子８９が、円柱ボス６３Ｂに螺合することで、支持部材８０の後端部８０Ｋが屈曲壁部材６３に固定されている。なお、取付螺子８９以外の取付部材、例えばピン等で固定してもよい。
【００７３】
図１３に示すように、支持部材８０の前端部８０Ｚには、敷設板用固定部９０が形成されている。敷設板用固定部９０は、敷設主体板８１の下面側に形成され下方に膨出しており、鉛直壁用固定部８８と同様に、一方の係合フック８４寄り位置に偏在している。即ち、敷設板用固定部９０と鉛直壁用固定部８８とが、支持部材８０の前後方向で並んで配置されている。敷設板用固定部９０も、支持部材８０の前後方向を向いた壁体で構成されており、敷設主体板８１の前端部８０Ｚ側の面には、陥没凹所９０Ｋが形成されている。陥没凹所９０Ｋの中央部分には、敷設板用固定部９０を支持部材８０の前後方向に貫通した螺子貫通部８３（本発明の「第１部材用の螺子貫通部」に相当する）が形成されている。
【００７４】
図８に示すように、敷設板用固定部９０に形成された陥没凹所９０Ｋには、枠下辺敷設板６０Ｋから起立した固定柱６８の先端部が突入しており、螺子貫通部８３を貫通した取付螺子９１が、この固定柱６８と螺合することで支持部材８０の前端部８０Ｚが、枠下辺敷設板６０Ｋに固定されている。なお、取付螺子９１以外の取付部材、例えば、ピン等で固定してもよい。
【００７５】
ここで、敷設主体板８１のうち、鉛直壁用固定部８８と敷設板用固定部９０との間には、台形状の貫通孔９２が形成されている。貫通孔９２は、鉛直壁用固定部８８から敷設板用固定部９０に向かうに従って徐々に幅狭となっている。この貫通孔９２を通して、敷設主体板８１の上面８１Ｊに敷設された発光制御基板７０の一部を視認可能となっている（図１２を参照）。ここで、貫通孔９２から発光制御基板７０の少なくとも一部が視認可能とすることで、発光制御基板７０のうち、貫通孔９２から視認可能な部分において何らかの異常（例えば、断線）が発生した場合に早期発見することが可能となる。以上が支持部材８０の説明である。
【００７６】
装飾枠２３の構成の説明は以上である。図１８に示すように、装飾枠２３の後面側にはカバー体４０が取り付けられている。カバー体４０は、装飾枠２３の後面全体を覆っている。カバー体４０は、装飾枠２３と同様に中央部に横長矩形の開口部４１を備え、この開口部４１が装飾枠２３の表示窓２３Ｗに整合している。また、カバー体４０の下端部には、複数のＬＥＤを実装したＬＥＤ基板４２が取り付けられている。このＬＥＤ基板４２は、図７に示すように、屈曲壁部材６３の鉛直壁６３Ｅの後方に配置されており、ＬＥＤの光が鉛直壁６３Ｅを透過して遊技機１０の前面側に照射されるようになっている。ここで、ＬＥＤ基板４２は、支持部材８０と鉛直壁６３Ｅとを固定した鉛直壁用固定部８８を後方から覆っている（図７及び図１９を参照）。これにより、支持部材８０と鉛直壁６３Ｅとを固定した取付螺子８９が、誤って取り外されることが防止されている。
【００７７】
本実施形態の遊技機１０の構成の説明は以上である。ところで、発光制御基板７０及び支持部材８０を装飾枠２３に組み付けるときの手順は以下のようである。
まず、発光制御基板７０を装飾枠２３の後面側から近づけ、その前側長辺７１Ａを枠下辺敷設板６０Ｋに固定する。即ち、前側長辺７１Ａに形成された凹部７７を枠下辺敷設板６０Ｋから起立した基板突き合わせ壁６７に凹凸係合させると共に、前側長辺７１Ａに形成された凸部７８，７８を、それぞれ基板挟持部６５，６５の上側挟持壁６５Ｕと下側挟持壁６５Ｓとの間に挿入して挟持させる。そして、この状態で、発光制御基板７０の下面側から螺子挿通孔７２に螺子６６を挿入し上側挟持壁６５Ｕに螺合する。これにより、発光制御基板７０の前側長辺７１Ａが枠下辺敷設板６０Ｋに固定される。
【００７８】
次いで、発光制御基板７０の後側長辺７１Ｂと支持部材８０とを係合すると共に、その支持部材８０の前後端部８０Ｚ，８０Ｋをそれぞれ枠下辺敷設板６０Ｋと屈曲壁部材６３の鉛直壁６３Ｅとに固定する。
【００７９】
即ち、支持部材８０の敷設主体板８１を発光制御基板７０の下面に敷設すると共に、発光制御基板７０の後側長辺７１Ｂに形成された凸部７８，７８を、敷設主体板８１の上面８１Ｊに形成された基板係合溝８７にスライド挿入して凹凸係合させる。これにより、発光制御基板７０が、支持部材８０によって下方から支持されかつ上下、左右、前後の何れの方向にも移動を規制された状態となる。即ち、支持部材８０により発光制御基板７０の後側長辺７１Ｂが固定されたことで、発光制御基板７０を枠下辺敷設板６０Ｋに固定しただけの場合に比較して、発光制御基板７０の取付状態が補強される。
【００８０】
また、枠下辺敷設板６０Ｋから延びた固定柱６８と支持部材８０の敷設板用固定部９０とを突き当てると共に、鉛直壁６３Ｅに形成された円柱ボス６３Ｂの後端部と鉛直壁用固定部８８とを突き当てる。そして、敷設板用固定部９０の後側から螺子貫通部８３に取付螺子９１を挿通し固定柱６８に螺合すると共に、鉛直壁用固定部８８の後側から螺子貫通部８２に取付螺子８９を挿通し円柱ボス６３Ｂに螺合する。これにより、支持部材８０が、枠下辺敷設板６０Ｋとの間で発光制御基板７０を保持した状態で、枠下辺敷設板６０Ｋと屈曲壁部材６３との間に跨って固定される。
【００８１】
ここで、敷設板用固定部９０の螺子貫通部８３に取付螺子９１を挿入する際には、取付螺子９１を予めドライバの先端に取り付けておき、そのドライバを敷設板用固定部９０の後側から螺子貫通部８３に近づけて挿入するが、このとき、ドライバが、支持部材８０に形成された貫通孔９２の両側辺に接触して螺子貫通部８３に向けて誘導される。これにより、螺子貫通部８３に取付螺子９１を挿入する作業が行い易くなっている。なお、この貫通孔９２は、本発明の「誘導部」に相当する。
【００８２】
また、図１５に示すように、発光制御基板７０に支持部材８０を取り付ける際の支持部材８０の移動方向と、取付螺子８９，９１の螺子貫通部８２，８３への挿入方向とが同一方向となるので、発光制御基板７０及び支持部材８０の組み付け作業を効率的に行うことが可能となる。
【００８３】
このように、本実施形態によれば、発光制御基板７０を支持する支持部材８０を枠下辺敷設板６０Ｋと屈曲壁部材６３の鉛直壁６３Ｅとに跨って取り付けることができ、しかも発光制御基板７０は、枠下辺敷設板６０Ｋと屈曲壁部材６３及び支持部材８０との間に形成された制御基板収納空間７９に収納されるので、遊技機１０の構造を有効利用して合理的に制御基板を取り付けることができる。また、枠下辺敷設板６０Ｋと屈曲壁部材６３とが支持部材８０により連結固定されているので、枠下辺敷設板６０Ｋと屈曲壁部材６３の組み付け強度を向上させることが可能となる。
【００８４】
さらに、支持部材８０に備えた係合部８４，８４より、発光制御基板７０の移動が規制されているので、発光制御基板７０のがたつき等により、ステージ６１に照射される光が遊技機１０毎にばらつくことが防止される。
【００８５】
また、枠下辺敷設板６０Ｋから起立した固定柱６８が、枠下辺敷設板６０Ｋと鉛直壁６３Ｅとの間に形成された隙間の中央部分まで延びているので、支持部材８０をこれら枠下辺敷設板６０Ｋと鉛直壁６３Ｅとの間に跨いで取り付ける構成であっても、支持部材８０を小型化することができる。
【００８６】
ここで、制御基板をビス等で取り付ける場合には、取付状態を安定させるために制御基板の複数箇所をビスで固定する必要がある。しかしながら、ビスによる取付箇所が過剰となると、逆に制御基板に負荷を与えることになる。これに対し、本発明では、制御基板としての発光制御基板７０を支持部材８０によって下方から支持し、発光制御基板７０の端部を支持部材８０に備えた係合フック８４，８４で挟持することで固定し、しかも、発光制御基板７０の凸部７８を係合フック８４，８４の基板係合溝８７内で若干浮かせることで、発光制御基板７０と係合フック８４，８４との当接部分を極力小さくしたので、発光制御基板７０の取付状態を補強しかつ、発光制御基板７０に与える負荷を抑えることができる。
【００８７】
以上を纏めると以下のようである。即ち、複数の部材を組み付けてなる構成部材と、遊技状態に応じて視認可能に作動する電気的作動部材と、電気的作動部材が実装されかつ電気的作動部材の作動を制御する制御基板とより構成された遊技装置では、制御基板の配置場所が制限される。即ち、制御基板を、電気的作動部材の作動状態が遊技者から視認可能な位置に配置しなければなない。このため、制御基板を、複数の部材の間或いは複数の部材に跨って有効的に取り付ける必要性がある。これに対し、本発明の構成によれば、配置場所の制限に合わせて、即ち、電気的作動動部材の作動状態が遊技者から視認可能となるように、制御基板を複数の部材の間或いは複数の部材に跨って有効的に取り付けることが可能である。
【００８８】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記一実施形態では、遊技機としてのパチンコ遊技機に本発明を適用していたが、遊技機であれば、コイン遊技機やスロットマシン等に備えてもよい。
【００８９】
（２）前記実施形態では、遊技装置としての表示装置１３に本発明を適用していたが、他の遊技装置、例えば、サイドランプ等に適用してもよい。また、他の制御基板の取付構造に本発明を適用してもよい。
【００９０】
（３）前記実施形態では、電気的作動部材としてＬＥＤ７３を例示したが、他の電気的作動部材、例えば、遊技機を構成する部材を駆動させるための駆動源としての電動モータやソレノイド等であってもよい。
【図面の簡単な説明】
【００９１】
【図１】本発明の一実施形態に係るパチンコ遊技機の正面図
【図２】パチンコ遊技機の背面図
【図３】装飾枠の斜視図
【図４】装飾枠の背面斜視図
【図５】装飾枠の背面図
【図６】装飾枠の側面図
【図７】装飾枠の部分拡大図
【図８】（Ａ）装飾枠、発光制御基板、支持部材の側面図（Ｂ）装飾枠に発光制御基板及び支持部材を組み付けた状態におけるの側面図
【図９】発光制御基板の平面図
【図１０】発光制御基を下部敷設板と支持部材で固定した状態の斜視図
【図１１】装飾枠の底面図
【図１２】発光制御基板、支持部材、下部敷設板、屈曲壁部材の底側からの斜視図
【図１３】支持部材の斜視図
【図１４】支持部材の斜視図
【図１５】支持部材の平面図
【図１６】発光制御基板の下面に支持部材を敷設した状態の平面図
【図１７】支持部材の正面図
【図１８】装飾枠にカバー体を取り付けた状態の斜視図
【図１９】装飾枠にカバー他を取り付けた状態の背面図
【符号の説明】
【００９２】
１３    表示装置（遊技装置）
２３    装飾枠（構成部材）
４２    ＬＥＤ基板（隠蔽部材）
６０Ｋ    枠下辺敷設板（第１部材）
６３Ｅ    鉛直壁（第２部材）
６１    ステージ（他の部材）
６３Ｂ    円柱ボス（第２固定部）
６５Ｕ    上側挟持壁（板厚方向挟持壁）
６５Ｓ    下側挟持壁（板厚方向挟持壁）
６７    基板突き合わせ壁
６８    固定柱（第１固定部）
７０    発光制御基板（制御基板）
７３    ＬＥＤ（電気的作動部材、発光素子）
７７    凹部（基板凹凸部）
７８    凸部（基板凹凸部）
７９    制御基板収納空間
８１    敷設主体板
８２    螺子貫通部（第２部材用の螺子貫通部）
８３    螺子貫通部（第１部材用の螺子貫通部）
８４    係合部
８７    基板係合溝（支持部材凹凸部）
８９    取付螺子（取付部材）
９１    取付螺子（取付部材）
９２    貫通孔（誘導部）
【図１】
2006149724.tif 000003
【図２】
2006149724.tif 000004
【図３】
2006149724.tif 000005
【図４】
2006149724.tif 000006
【図５】
2006149724.tif 000007
【図６】
2006149724.tif 000008
【図７】
2006149724.tif 000009
【図８】
2006149724.tif 000010
【図９】
2006149724.tif 000011
【図１０】
2006149724.tif 000012
【図１１】
2006149724.tif 000013
【図１２】
2006149724.tif 000014
【図１３】
2006149724.tif 000015
【図１４】
2006149724.tif 000016
【図１５】
2006149724.tif 000017
【図１６】
2006149724.tif 000018
【図１７】
2006149724.tif 000019
【図１８】
2006149724.tif 000020
【図１９】
2006149724.tif 000021